(57)【要約】      （修正有）【課題】簡素な構成で大口径であり、また、ズーム倍率も４〜７倍程度にも対応可能な良好な性能のズームレンズ及びそれを有する光学機器を提供する。【解決手段】物体側より像側へ順に負の屈折力を有する第1レンズ群Ｌ１、正の屈折率を有する第2レンズ群Ｌ２、正の屈折力を有する第3レンズ群Ｌ３を有し、変倍に際して少なくとも第1レンズ群Ｌ１、第2レンズ群Ｌ２を移動させるズームレンズにおいて、第2レンズ群Ｌ２の焦点距離をf2、広角端の全系の焦点距離をfw、第2レンズ群Ｌ２、第3レンズ群Ｌ３の変倍時の移動量を各々M2、M3、ズーム倍率をZとしたとき、下記条件式を満足する。3.1＜f2／fw＜4.5、0.05＜(M3／M2)／Z＜0.3【選択図】図１
2016166970.tif 000002
【特許請求の範囲】
【請求項１】
物体側より像側へ順に負の屈折力を有する第1レンズ群、正の屈折率を有する第2レンズ群、正の屈折力を有する第3レンズ群を有し、
変倍に際して少なくとも第1レンズ群、第2レンズ群を移動させるズームレンズにおいて、
第2レンズ群の焦点距離をf2、広角端の全系の焦点距離をfw、第2レンズ群、第3レンズ群の変倍時の移動量を各々M2、M3、ズーム倍率をZとしたとき、下記条件式を満足することを特徴とするズームレンズ。
3.1 ＜ f2／fw ＜ 4.5
0.05 ＜ (M3／M2)／Z ＜ 0.3
【請求項２】
該第3レンズ群の焦点距離をf3、望遠端の全系の焦点距離をftとしたとき、下記条件式を満足することを特徴とする請求項１に記載のズームレンズ。
2.5＜ f3／√(fw×ft) ＜ 5.0
【請求項３】
該第1レンズ群の最も物体側の面から最も像側の面までの光軸上の距離をD1、焦点距離をf1としたとき、下記条件式を満足することを特徴とする請求項１又は請求項２に記載のズームレンズ。
−0.8 ＜ D1／f1 ＜ −0.45
【請求項４】
該第１レンズ群、第2レンズ群の焦点距離を各々f1、f2としたとき、以下の条件式を満足することを特徴とする請求項１乃至請求項３の何れか一項に記載のズームレンズ。
−0.9 ＜ f1／f2 ＜ −0.6
【請求項５】
該第3レンズ群内の正レンズのアッベ数をν3pとしたとき、以下の条件式を満足することを特徴とする請求項１乃至請求項４の何れか一項に記載のズームレンズ。
ν3p ＞ 65
【請求項６】
該第1レンズ群は物体側から像側へ順に負レンズ、正レンズから構成されることを特徴とする請求項１乃至請求項５の何れか一項に記載のズームレンズ。
【請求項７】
該第2レンズ群全体あるいは一部を光軸方向に垂直に移動させて、被写体像の像面 移動を補正することを特徴とする請求項1乃至請求項6の何れか一項に記載のズームレンズ。
【請求項８】
請求項1乃至請求項７の何れか一項に記載のズームレンズと広角側での有効像円径を望遠端での有効像円径よりも小さくしたことを特徴とする光学機器。
【請求項９】
請求項１乃至請求項８の何れか一項に記載のズームレンズと該ズームレンズによって形成された像を受光する撮像素子を有することを特徴とする光学機器
【発明の詳細な説明】
【技術分野】
【０００１】
本発明は、ズームレンズ及びそれを有する光学機器に関し、特に監視カメラ、デジタルスチルカメラ、ビデオカメラ、フィルム用カメラ等に用いられるズームレンズ及びそれを有する光学機器に好適なものである。
【背景技術】
【０００２】
近年、固体撮像素子を用いたデジタルスチルカメラ、ビデオカメラ等の撮像装置の大口径化と共にそれに用いる撮影光学系のコンパクト化が要求されている。特に監視カメラは使用用途が広く、非常に暗い低照度での状況下においてもノイズが少なくきれいに撮影できる様、Fnoの明るい大口径レンズが要求されている。
【０００３】
この種のカメラには、レンズ最後部と撮像素子との間にローパスフィルターや赤外カットフィルターなどの各種光学部材を配置する為、それに用いる光学系には比較的バックフォーカスの長いレンズ系が要求される。
【０００４】
従来より、負の屈折力を有する第1レンズ群と正の屈折力を有する第2レンズ群の２つのレンズ群よりなり、双方のレンズ間隔を変えて変倍を行う、所謂ショートズームタイプの2群ズームレンズが種々提案されている。これらのショートズームタイプの光学系では、正の屈折力を有する第2レンズ群を移動することで変倍を行い、負の屈折力を有する第1レンズ群を移動することで変倍に伴う像点位置の補正を行っている。これらの２つのレンズ群よりなるレンズ構成においては、ズーム倍率は3倍程度である。
【０００５】
さらに高い変倍比を有しつつレンズ全体をコンパクトな形状にまとめる為、2群ズームレンズの像側に負または正の屈折力を有する第3レンズ群を配置し、高倍化に伴って発生する諸収差の補正を行っている（特許文献1〜2）。
【０００６】
特に監視カメラは撮影画界を広げるために歪曲収差を許容し、広範囲の撮影に対応する設計が知られている。一方、近年のデジタルスチルカメラやビデオカメラといった撮像装置においては、諸収差のうち歪曲収差を電気的な画像処理で補正する事も行われている。
【０００７】
３群ズームレンズの例として、特許文献１が提案されている。このズームレンズは3倍程度のズーム倍率であり、広画角とコンパクトを特徴としている。しかし、近年の大口径化に対しては必ずしも十分とは言えなかった。
【０００８】
また、望遠端の大口径化を図った３群ズームの例として、特許文献２が提案されている。このズームレンズはズーム倍率を４倍強としながら望遠端のＦｎｏを3.85と改善している。しかし、広角端のＦｎｏが暗く、レンズ枚数も多いため、コンパクト化に対しては必ずしも十分とは言えなかった。
【先行技術文献】
【特許文献】
【０００９】
【特許文献１】特開平１１−８４２４３号公報
【特許文献２】特開２００４−３１８０９７号公報
【発明の概要】
【発明が解決しようとする課題】
【００１０】
本発明は、簡素な構成で大口径であり、また、ズーム倍率も４〜７倍程度にも対応可能な良好な性能のズームレンズ及びそれを有する光学機器の提供を目的とする。
【課題を解決するための手段】
【００１１】
上記の目的を達成するために、本発明のズームレンズは、
物体側より像側へ順に負の屈折力を有する第1レンズ群、正の屈折率を有する第2レンズ群、正の屈折力を有する第3レンズ群を有し、
変倍に際して少なくとも第1レンズ群、第2レンズ群を移動させるズームレンズにおいて、
第2レンズ群の焦点距離をf2、広角端の全系の焦点距離をfw、第2レンズ群、第3レンズ群の変倍時の移動量を各々M2、M3、ズーム倍率をZとしたとき、下記条件式を満足することである。
3.1 ＜ f2／fw ＜ 4.5
0.1 ＜ (M3／M2)／Z ＜ 0.25
【発明の効果】
【００１２】
本発明によれば、簡素な構成で大口径であり、また、ズーム倍率も４〜７倍程度にも対応可能な良好な性能のズームレンズ及びそれを有する光学機器が得られる。
【図面の簡単な説明】
【００１３】
【図１】実施例１のズームレンズのレンズ断面図
【図２】実施例１のズームレンズの広角端での収差図
【図３】実施例１のズームレンズの中間での収差図
【図４】実施例１のズームレンズの望遠端での収差図
【図５】実施例２のズームレンズのレンズ断面図
【図６】実施例２のズームレンズの広角端での収差図
【図７】実施例２のズームレンズの中間での収差図
【図８】実施例２のズームレンズの望遠端での収差図
【図９】実施例３のズームレンズのレンズ断面図
【図１０】実施例３のズームレンズの広角端での収差図
【図１１】実施例３のズームレンズの中間での収差図
【図１２】実施例３のズームレンズの望遠端での収差図
【図１３】実施例４のズームレンズのレンズ断面図
【図１４】実施例４のズームレンズの広角端での収差図
【図１５】実施例４のズームレンズの中間での収差図
【図１６】実施例４のズームレンズの望遠端での収差図
【図１７】実施例５のズームレンズのレンズ断面図
【図１８】実施例５のズームレンズの広角端での収差図
【図１９】実施例５のズームレンズの中間での収差図
【図２０】実施例５のズームレンズの望遠端での収差図
【図２１】実施例６のズームレンズのレンズ断面図
【図２２】実施例６のズームレンズの広角端での収差図
【図２３】実施例６のズームレンズの中間での収差図
【図２４】実施例６のズームレンズの望遠端での収差図
【図２５】該ズームレンズを搭載する光学機器（監視カメラ）の装置図
【発明を実施するための形態】
【００１４】
以下、本発明を実施するための形態を図面に基づいて説明する。
【００１５】
本発明のズームレンズは、簡素な構成で、大口径でありながら高性能であることが特徴である。大口径化をするためには正、負、正、正構成のポジティブリードが有利である。しかし、レンズ枚数が多くなるために光学系全体が大型化してしまう。その為、少ないレンズ枚数の簡素な構成と監視レンズの様な広画角を達成するためにはネガティブリードの3群構成の方が有利である。
【００１６】
また、第3レンズ群は負群とすると光束径が第2レンズ群で広がってしまうため、光学性能上大口径化に対しては不利となる。その為、本発明では第3レンズ群を正群とした負、正、正の構成を採用している。
【００１７】
一方、大口径で高性能を達成しようとすると、特に広角端の球面収差、コマ収差、望遠端の球面収差といった諸収差が低略する。このうち、広角端の球面収差、コマ収差は第2レンズ群のパワー配置を適切に設定する事で補正する事が可能となる。
【００１８】
具体的には、絞り付近の第2レンズ群が大口径化に伴いレンズ径が大きくなるため、高次収差が発生しないように第2レンズ群のパワーを弱めて各レンズの曲率が緩まる様にしている。
【００１９】
また、ズームによる球面収差変動はズーム倍率に応じて第2レンズ群と第3レンズ群の移動量を適切に設定する事で抑える事が可能となる。具体的にはズーム倍率の増加とともに第3レンズ群の移動量を増やす様にし、軸上光束が広がっている絞り付近で望遠側の球面収差の補正がし易い様に設定している。
【００２０】
これら2つの条件を満たす事で簡素な構成且つ大口径でありながら各諸収差を良好に補正することが可能となる。
【００２１】
本発明のズームレンズは、簡素な構成で、大口径でありながら高性能なズームレンズを提供するために、
物体側より像側へ順に負の屈折力を有する第1レンズ群、正の屈折率を有する第2レンズ群、正の屈折力を有する第3レンズ群を有し、
変倍に際して少なくとも第1レンズ群、第2レンズ群を移動させるズームレンズにおいて、
第2レンズ群の焦点距離をf2、広角端の全系の焦点距離をfw、第2レンズ群、第3レンズ群の変倍時の移動量を各々M2、M3、ズーム倍率をZとしたとき、下記条件式を満足する事である。
3.1 ＜ f2／fw ＜ 4.5                                    −(1)
0.05 ＜ (M3／M2)／Z ＜ 0.3                              −(2)
ここで、第2、第3レンズ群の移動量M2、M3の符号は物体側移動を負、像側移動を正としている。
【００２２】
前述したように、簡素な構成で大口径化を行うには、光束径が広がる絞り付近のパワー配置、ズーム時の各群の移動量を適切に設定する事が重要となる。
【００２３】
条件式(1)は、第2レンズ群のパワー配置に関する条件式であり、特に広角端での球面収差、コマ収差に関する条件式である。条件式の下限値を下回ると、第2レンズ群のパワーが強まり、ズーム倍率をかせぐための移動量が少なくなるため小型化に対して有利だが、広角端の球面収差及びコマ収差を補正する上で困難となる。一方、条件式の上限値を上回ると、第2レンズ群のパワーが弱まり、第1レンズ群で発生した望遠側の軸上色収差を補正する上で困難となる。また、ズーム倍率をかせぐために移動量が増えるため、レンズ全体が大型化するため好ましくない。
【００２４】
条件式(2)は、第2レンズ群と第3レンズ群の移動量に関する条件式であり、特にズームによる球面収差、像面湾曲の変動に関する条件式である。条件式の下限値を下回ると、第3レンズ群の移動量が少なくなる為にズームによる像面湾曲の変動、望遠側の球面収差を補正する上で困難となる。一方、条件式の上限値を上回ると、第3レンズ群の移動量が大きくなる為ズーム倍率をかせぐために第2レンズ群の移動量を増やす必要があり、レンズ全長が大型化するため好ましくない。
【００２５】
上記条件式で本発明の目的は達成されるが、より好ましくは該構成において、該第3レンズ群の焦点距離をf3、望遠端の全系の焦点距離をftとしたとき、
2.5＜ f3／√(fw×ft) ＜ 5.0                             −(3)
なる条件式を満足する事である。
【００２６】
条件式(3)は、第３レンズ群のパワー配置に関する条件式で、コマ収差及びバックフォーカスに関する条件式である。条件式の下限値を下回ると、第3レンズ群のパワーが強まるため、第1レンズ群で発生したズーム全域のコマ収差を補正する上で有利だが、広角端のバックフォーカスを確保する上で困難となる。一方、条件式の上限値を上回ると、第3レンズ群のパワーが弱まるため、第1レンズ群で発生した倍率色収差の補正が困難となる。また、望遠端での無限遠から至近へのフォーカス時の像面湾曲変動が大きくなるため好ましくない。
【００２７】
上記同様に、より好ましくは該構成において、該第1レンズ群の最も物体側の面から最も像側の面までの光軸上の距離をD1、焦点距離をf1としたとき、
−0.8 ＜ D1／f1 ＜ −0.45                               −(4)
なる条件式を満足する事である。
【００２８】
条件式(4)は、第１レンズ群のパワー配置とレンズ厚みに関する条件式で、特に全長、前玉径といった大きさに関する条件式である。条件式の下限値を下回ると、第1レンズ群のパワーが強まるため、広角端の像面湾曲を補正する上で困難となる。一方、条件式の上限値を上回ると、第1レンズ群の厚みが薄くなるため小型化に対しては有利だが、2枚のレンズの間隔が狭まるためズームによる倍率色収差の変動を抑える上で困難となる。
上記同様に、より好ましくは該構成において、該第１レンズ群、第2レンズ群の焦点距離を各々f1、f2としたとき、
−0.9 ＜ f1／f2 ＜ −0.6                              −（5）
なる条件式を満足する事である。
【００２９】
条件式(5)は、第１レンズ群と第2レンズ群のパワー配分に関する条件式であり、特にコンパクト化と望遠端の球面収差に関する条件式である。条件式の下限値を下回ると、第1レンズ群のパワーが弱まり、第2レンズ群のパワーが強まるため、ペッツバール和が正に大きくなり、像面湾曲を補正する上で困難となる。一方、条件式の上限値を上回ると、第2レンズ群のパワーが弱まるため、ズームの際の移動量が増加し、大型化するため好ましくない。
【００３０】
上記同様に、より好ましくは該構成において、該第3レンズ群の正レンズのアッベ数をν3pとしたとき
ν3p ＞ 65                                              −（6）
なる条件式を満足する事である。
【００３１】
条件式(6)は、第3レンズ群の正レンズのレンズ材料に関する条件式であり、特に広角端と望遠端の色収差に関する条件式である。条件式の下限値を下回ると、広角端での倍率色収差、望遠端での軸上色収差を補正する上で困難となる。
【００３２】
尚、各数値実施例において、収差補正上更に好ましくは、条件式（1）〜（6）の数値範囲を次の如く設定するのが良い。
3.2 ＜ f2／fw ＜ 4.3                                    −（1a）
0.08 ＜ (M3／M2)／Z ＜ 0.27                      −（2a）
2.6＜ f3／√(fw×ft) ＜ 4.9                             −（3a）
−0.75 ＜ D1／f1 ＜ −0.45                              −（4a）
−0.88 ＜ f1／f2 ＜ −0.62                                   −（5a）
ν3p ＞ 68                                              −（6a）
より更に好ましくは、条件式（1）〜（6）の数値範囲を次の如く設定するのが良い。
3.3 ＜ f2／fw ＜ 4.0                                    −（1b）
0.12 ＜ (M3／M2)／Z ＜ 0.23                      −（2b）
2.7＜ f3／√(fw×ft) ＜ 4.8                             −（3b）
−0.7 ＜ D1／f1 ＜ −0.48                               −（4b）
−0.85 ＜ f1／f2 ＜ −0.65                                   −（5b）
85 ＞ ν3p ＞ 68                                        −（6b）
各数値実施例では以上のように各レンズ群を構成することによって、簡素な構成で大口径であり、また、ズーム倍率も４〜７倍程度にも対応可能な良好な性能のズームレンズ及びそれを有する光学機器を得ている。
【００３３】
以下に、本発明のズームレンズの実施形態（数値実施例）について図面を参照して説明する。
【００３４】
以下の説明、図において、riは物体側からi番目の面の曲率半径、diは物体側からi番目の面とi+1番目の面との間の面間隔、niは第i番目のレンズのd線における屈折率、niは第i番目のレンズのd線におけるアッベ数を示すものとする。また、ｋを円錐定数、A3，A4，A5，A6，A7，A8，A9，A10，A11，A12，A13，A14を3次、４次、5次、６次、７次、８次、９次、１０次、1１次、１２次、１３次、１４次の非球面係数とし、光軸からの高さｈの位置での光軸方向の変位を面頂点を基準にしてｘとするとき、非球面形状は、
ｘ＝(ｈ2／Ｒ)／[１＋[１−(１＋Ｋ)(ｈ／Ｒ)2]1/2] ＋A3ｈ3＋A4ｈ4＋A5ｈ5＋A6ｈ6＋A7ｈ7＋A8ｈ8＋A9ｈ9＋A10ｈ10＋A11ｈ11＋A12ｈ12＋A13ｈ13＋A14ｈ14
で表示される。但し、Ｒは曲率半径であり、「ｅ−Ｘ」は「×１０-X」を意味している。尚、非球面は各表中の面番号の右側に*印を付している。
【００３５】
次に各レンズ群のレンズ構成について説明する。
【００３６】
第１レンズ群Ｌ１は物体側の面が凹面で両凹形状の負レンズと物体側の面が凸でメニスカス形状の正レンズで構成している。各数値実施例のズームレンズでは小型とするために第１レンズ群Ｌ１の屈折力を適切な範囲で強めている。このとき、第１レンズ群Ｌ１内で発生する諸収差、特に広角端において歪曲収差、像面湾曲が多く発生してくる。そこで第１レンズ群Ｌ１で発生する歪曲収差を許容し、像面湾曲を補正する様にしている。
【００３７】
第２レンズ群Ｌ２は物体側の面が凸で非球面形状の正レンズと像側の面が凹形状の負レンズとの接合レンズ、両側面が凸の正レンズで構成している。各数値実施例のズームレンズでは大口径化と良好な光学性能を確保するために第２レンズ群Ｌ２の屈折力を適切な範囲としている。このとき第２レンズ群Ｌ２で発生する諸収差、特に球面収差、コマ収差、広角端の像面湾曲が多く発生してくる。各実施例では最も物体側に屈折率が1.8を越える非球面レンズを使用する事で、球面収差の発生を低減している。また、正屈折力を接合レンズと1枚の正レンズで分担し、これらの収差の発生を低減している。
【００３８】
第３レンズ群Ｌ３は物体側が凸形状の正レンズ1枚で構成している。各数値実施例のズームレンズでは、少ないレンズ枚数で第3レンズ群を構成する事で薄型化、軽量化を図っている。特に物体側を凸形状とする事で、望遠端での無限遠から至近へのフォーカス時におきる像面湾曲の変動を抑えている。
【００３９】
図１、５、９、１３、１７、２１は数値実施例1乃至6のズームレンズの広角端におけるレンズ断面図であり、各図において、左方が被写体側で、右方が像側である。レンズ断面図において、Ｌ１は負の屈折力を有する第１レンズ群、Ｌ２は正の屈折力を有する第２レンズ群、Ｌ３は正の屈折力を有する第３レンズ群である。ＳＰは開口絞りであり、第２レンズ群Ｌ２の物体側に位置しており、ズーミングに際して第2レンズ群L２と共に可動である。
【００４０】
ＧBは光学フィルター、フェースプレート等に相当する光学ブロックである。ＩＰは像面であり、デジタルスチルカメラやビデオカメラの撮影光学系として使用する際にはＣＣＤセンサやＣＭＯＳセンサ等の固体撮像素子の撮像面が、銀塩フィルム用カメラのときはフィルム面に相当する。
【００４１】
収差図において、ｄ，ｇは各々ｄ線及びｇ線、ΔＭ，ΔＳはメリジオナル像面、サジタル像面、倍率色収差はｇ線によって表している。また、ｆｎｏはＦナンバーである。ωは実トレースによる半画角である。
【００４２】
尚、以下の各数値実施例において広角端と望遠端は変倍レンズ群が機構上光軸上移動可能な範囲の両端に位置したときのズーム位置をいう。
【００４３】
各数値実施例では、広角端から望遠端へのズーミングに際して矢印のように、第２レンズ群Ｌ２を物体側に移動することによって変倍を行う。また、第1レンズ群Ｌ1を像側に凸状の軌跡及び第３レンズ群L3を物体側に移動させることで変倍に伴う像面変動を補正している。
【００４４】
また、第3レンズ群Ｌ3を光軸上移動させてフォーカシングを行うリアフォーカス式を採用している。第3レンズ群Ｌ3に関する実線の曲線3ａと点線の曲線3ｂは、各々無限遠物体と近距離物体にフォーカスしているときの変倍に伴う像面変動を補正するための移動軌跡である。このように第3レンズ群Ｌ3を物体側へ移動させることで第2レンズ群Ｌ2と第3レンズ群Ｌ3との間の空間の有効利用を図り、レンズ全長の短縮化を効果的に達成している。
【００４５】
又、望遠端において無限遠物体から近距離物体へフォーカスを行う場合には、矢印3ｃに示すように第3レンズ群Ｌ3を前方に繰り出すことで行っている。尚、第１レンズ群Ｌ１はフォーカスの為には光軸方向に固定であるが、収差補正上必要に応じて移動させてもよい。
【００４６】
また、撮影時には、該第２レンズ群L２の全体または一部を光軸に対して略垂直方向に移動させる事によって被写体像のブレを補正している。
【００４７】
次に本発明のズームレンズを撮影光学系として用いた光学機器（監視カメラ）の実施例を図２５を用いて説明する。
【００４８】
図２５において、３０は監視カメラ本体、３１は実施例１〜６で説明したいずれかのズームレンズによって構成された撮影光学系である。
【００４９】
３２はカメラ本体に内蔵され、撮影光学系３１によって形成された被写体像を受光するＣＣＤセンサやＣＭＯＳセンサ等の固体撮像素子（光電変換素子）である。３３は固体撮像素子３２によって光電変換された被写体像に対応する情報を記録するメモリである。３４は撮影した３２によって光電変換された被写体像を転送するためのネットワークケーブルである。
【００５０】
以下の表1〜6に数値実施例1〜6のズームレンズの各数値を示す。
【００５１】
表１  数値実施例１
面データ
面番号       r        d      nd         vd
1*        -8.954    0.70   1.84954    40.1           
2*         4.739    0.35                             
3          5.445    2.32   1.95906    17.5           
4         11.711  (可変)                             
5(絞り)    ∞      -0.45                             
6*         5.397    2.23   1.85135    40.1           
7         -9.614    0.50   1.80809    22.8           
8          5.058    0.42                             
9         14.027    1.17   1.91082    35.3           
10        -14.717  (可変)                             
11         13.021    1.10   1.59282    68.6           
12        -16.463  (可変)                             
13          ∞       0.80   1.51633    64.1           
14          ∞       1.04                             
像面        ∞   
非球面データ
第1面
K = 4.61620e-001  A 4= 1.12449e-003  A 6=-7.49953e-005  A 8= 7.75284e-006  A10=-3.48847e-007  A12= 6.07585e-009  
第2面
K =-1.03076e+000  A 4= 1.59743e-003  A 6=-4.44740e-005  A 8= 7.45060e-006  A10= 3.17011e-007  A12=-7.02640e-008  A14= 2.80440e-009  
第6面
K =-5.57257e-001  A 4=-3.52868e-004  A 6= 2.50836e-005  A 8=-3.04108e-006  
各種データ
ズーム比      3.93 
広角     中間     望遠
焦点距離       2.20     5.96     8.66  
Fナンバー      1.84     2.55     2.99  
画角          53.28    15.51    10.60  
レンズ全長    28.54    24.78    28.73  
BF             3.98     7.75    11.51  
d 4           13.23     3.28     1.05  
d10            2.99     5.41     7.83  
d12            2.41     6.18     9.95  
ズームレンズ群データ
群  始面    焦点距離  
1    1      -5.51  
2    5       7.65  
3   11      12.44  
表２  数値実施例2
面データ
面番号       r        d      nd         vd
1*        -7.298    0.70   1.84954    40.1           
2*         4.895    0.33                             
3          5.440    2.03   1.95906    17.5           
4         12.174  (可変)                             
5(絞り)    ∞      -0.40                             
6*         5.591    1.61   1.85135    40.1           
7        297.637    0.50   1.80518    25.5           
8          4.756    0.16                             
9*         5.945    1.95   1.55332    71.7           
10*        -9.081  (可変)                             
11         15.775    1.05   1.59282    68.6           
12        -27.811  (可変)                             
13          ∞       1.63   1.51633    64.1           
14          ∞       1.06                            
像面        ∞   
非球面データ
第1面
K =-5.04913e+000  A 4= 2.43166e-004  A 6=-2.94211e-005  A 8= 3.99831e-006  A10=-1.43797e-007  A12=-6.32335e-010  
第2面
K =-1.64250e+000  A 4= 2.88701e-003  A 6= 1.68114e-005  A 8=-5.61461e-006  A10= 1.27720e-006  A12=-4.83495e-008  A14=-2.55112e-009  
第6面
K =-5.57257e-001  A 4= 1.00254e-005  A 6= 1.39865e-005  A 8=-6.37857e-006  
第9面
K =-1.37818e+000  A 4= 2.18976e-004  A 6=-1.86217e-004  A 8= 6.22309e-005  
第10面
K = 9.04734e-001  A 4= 7.07503e-004  A 6=-2.94342e-004  A 8= 5.39596e-005  
各種データ
ズーム比      4.87 
広角     中間     望遠
焦点距離       2.22     6.65    10.80  
Fナンバー      1.65     2.66     3.80  
画角          53.64    13.82     8.41  
レンズ全長    28.76    24.62    28.75  
BF             4.38     9.93    15.48  
d 4           13.48     3.17     1.11  
d10            2.97     3.60     4.23  
d12            2.25     7.79    13.34  
ズームレンズ群データ
群  始面    焦点距離  
1    1      -5.15  
2    5       7.55  
3   11      17.13
表３  数値実施例3
面データ
面番号       r        d      nd         vd
1*        -8.757    0.70   1.84954    40.1           
2*         4.815    0.43                             
3          6.185    1.80   1.95906    17.5           
4         15.678  (可変)                             
5(絞り)    ∞      -0.40                             
6*         5.484    1.74   1.85135    40.1           
7        -59.643    0.50   1.80518    25.5           
8          4.869    0.24                             
9*         6.826    1.84   1.55332    71.7           
10*        -9.151  (可変)                             
11         21.704    0.95   1.59282    68.6           
12        -31.463  (可変)                             
13          ∞       1.63   1.51633    64.1           
14          ∞       1.06                            
像面        ∞   
非球面データ
第1面
K =-4.28985e+000  A 4=-4.99112e-004  A 6= 3.85720e-005  A 8= 8.69996e-007  A10=-1.49511e-007  A12= 3.48399e-009  
第2面
K =-1.20634e+000  A 4= 6.76672e-004  A 6= 8.94741e-005  A 8=-5.76347e-006  A10= 6.95375e-007  A12=-4.55193e-008  A14= 6.55979e-010  
第6面
K =-5.57257e-001  A 4= 4.08081e-005  A 6= 7.26720e-006  A 8=-4.95461e-006  
第9面
K =-2.02655e+000  A 4= 6.78698e-005  A 6=-1.86794e-004  A 8= 5.85007e-005  
第10面
K = 1.12537e+000  A 4= 5.03807e-004  A 6=-2.56800e-004  A 8= 4.82593e-005  
各種データ
ズーム比      5.88 
広角     中間     望遠
焦点距離       2.21     7.76    13.00  
Fナンバー      1.85     3.09     4.30  
画角          54.74    11.75     6.96  
レンズ全長    30.97    25.52    30.70  
BF             4.39    10.97    17.55  
d 4           15.80     3.07     0.97  
d10            2.98     3.68     4.38  
d12            2.25     8.83    15.42  
ズームレンズ群データ
群  始面    焦点距離  
1    1      -5.65  
2    5       7.72  
3   11      21.81
表４  数値実施例4
面データ
面番号       r        d      nd         vd
1*        -8.728    0.70   1.84954    40.1           
2*         5.089    0.45                             
3          6.632    1.70   1.95906    17.5           
4         17.501  (可変)                             
5(絞り)    ∞      -0.40                             
6*         5.292    1.80   1.85135    40.1           
7        -47.762    0.50   1.80518    25.5           
8          4.899    0.30                             
9*         7.717    1.75   1.55332    71.7           
10*        -9.220  (可変)                             
11         15.467    0.88   1.59282    68.6           
12        928.080  (可変)                             
13          ∞       1.63   1.51633    64.1           
14          ∞       1.06                            
像面        ∞   
非球面データ
第1面
K =-5.32288e+000  A 4=-7.36530e-004  A 6= 4.51808e-005  A 8= 1.31893e-006  A10=-1.68652e-007  A12= 3.35382e-009  
第2面
K =-1.38898e+000  A 4= 7.95130e-004  A 6= 2.46986e-005  A 8= 1.80687e-006  A10= 5.69277e-007  A12=-7.14369e-008  A14= 1.81035e-009  
第6面
K =-5.57257e-001  A 4= 3.51412e-005  A 6= 8.00238e-006  A 8=-4.07063e-006  
第9面
K =-2.75769e+000  A 4= 5.91618e-005  A 6=-1.99352e-004  A 8= 5.69620e-005  
第10面
K = 4.06210e-001  A 4= 3.39125e-004  A 6=-2.45525e-004  A 8= 4.68594e-005  
各種データ
ズーム比      6.77 
広角     中間     望遠
焦点距離       2.22     8.61    15.00  
Fナンバー      1.85     3.20     4.80  
画角          54.36    10.56     6.02  
レンズ全長    31.98    25.85    31.62  
BF             4.36    12.16    19.96  
d 4           16.96     3.00     0.94  
d10            2.97     3.00     3.03  
d12            2.23    10.03    17.83  
ズームレンズ群データ
群  始面    焦点距離  
1    1      -5.84  
2    5       7.78  
3   11      26.52
表５  数値実施例５
面データ
面番号       r        d      nd         vd
1*        -8.887    0.70   1.84954    40.1           
2*         4.034    0.72                             
3          5.593    1.94   1.95906    17.5           
4         12.354  (可変)                             
5          ∞      -0.40                             
6*         5.693    1.60   1.85135    40.1           
7        -35.386    0.50   1.80518    25.5           
8          4.946    0.27                             
9*         8.341    2.13   1.55332    71.7           
10*        -6.204    0.00                             
11(絞り)    ∞     (可変)                             
12         30.889    0.99   1.59282    68.6           
13        -18.072  (可変)                             
14          ∞       1.63   1.51633    64.1           
15          ∞       1.06                            
像面        ∞   
非球面データ
第1面
K =-1.70854e+001  A 4= 3.80917e-004  A 6=-5.20392e-005  A 8= 2.72892e-006  A10=-1.06937e-007  A12= 2.07707e-009  
第2面
K =-9.58399e-001  A 4= 3.59233e-003  A 6=-6.20851e-005  A 8=-1.00736e-005  A10= 7.77853e-007  A12=-2.86536e-008  A14= 5.22861e-010  
第6面
K =-5.57257e-001  A 4=-5.11870e-004  A 6= 8.46847e-006  A 8=-1.55276e-005  
第9面
K =-1.77956e+000  A 4= 2.25028e-004  A 6=-1.56374e-004  A 8= 9.69657e-005  
第10面
K = 3.13695e-001  A 4= 4.59240e-004  A 6=-3.00701e-004  A 8= 6.53404e-005  
各種データ
ズーム比      4.83 
広角     中間     望遠
焦点距離       1.93     5.92     9.30  
Fナンバー      1.85     2.90     3.80  
画角          58.95    15.43     9.75  
レンズ全長    29.99    25.19    29.51  
BF             4.20     8.65    13.10  
d 4           14.37     3.14     1.03  
d11            2.98     4.96     6.94  
d13            2.07     6.52    10.96  
ズームレンズ群データ
群  始面    焦点距離  
1    1      -4.93  
2    5       7.39  
3   12      19.38
表6  数値実施例６
面データ
面番号       r        d      nd         vd
1*        -8.624    0.70   1.84954    40.1           
2*         5.060    0.44                             
3          6.563    1.72   1.95906    17.5           
4         17.529  (可変)                             
5(絞り)    ∞      -0.40                             
6*         5.301    1.81   1.85135    40.1           
7        -44.747    0.50   1.80518    25.5           
8          4.899    0.30                             
9*         7.639    1.76   1.55332    71.7           
10*        -9.227    0.00                             
11          ∞     (可変)                             
12         16.389    0.87   1.59282    68.6           
13       -557.636  (可変)                             
14          ∞       1.63   1.51633    64.1           
15          ∞       1.06                            
像面        ∞   
非球面データ
第1面
K =-5.39943e+000  A 4=-7.34752e-004  A 6= 4.84876e-005  A 8= 1.17708e-006  A10=-1.83000e-007  A12= 4.06544e-009  
第2面
K =-1.29422e+000  A 4= 7.61401e-004  A 6= 3.27468e-005  A 8= 9.40083e-007  A10= 6.80954e-007  A12=-8.56843e-008  A14= 2.40265e-009  
第6面
K =-5.57257e-001  A 4= 3.79378e-005  A 6= 7.90729e-006  A 8=-4.06912e-006  
第9面
K =-2.76302e+000  A 4= 5.81247e-005  A 6=-1.98138e-004  A 8= 5.69691e-005  
第10面
K = 5.14490e-001  A 4= 3.56441e-004  A 6=-2.46503e-004  A 8= 4.72239e-005  
各種データ
ズーム比      6.78 
広角     中間     望遠
焦点距離       2.21     8.58    15.00  
Fナンバー      1.85     3.20     4.80  
画角          54.57    10.60     6.02  
レンズ全長    31.97    25.79    31.48  
BF             4.38    12.23    20.07  
d 4           16.94     3.02     0.96  
d11            2.94     2.85     2.75  
d13            2.24    10.09    17.94  
ズームレンズ群データ
群  始面    焦点距離  
1    1      -5.82  
2    5       7.76  
3   12      26.87
前述の各条件式と数値実施例における諸数値との関係を表7に示す。
【００５２】
【表１】
2016166970.tif 000003
【符号の説明】
【００５３】
L1  第1群、L2  第2群、L3  第3群、SP  絞り、GB  ガラスブロック、IP  像面、
d  d線、g  g線、Fno  Fナンバー、w  半画角、DS  サジタル像面、
DM  メリジオナル像面
【図１】
2016166970.tif 000004
【図２】
2016166970.tif 000005
【図３】
2016166970.tif 000006
【図４】
2016166970.tif 000007
【図５】
2016166970.tif 000008
【図６】
2016166970.tif 000009
【図７】
2016166970.tif 000010
【図８】
2016166970.tif 000011
【図９】
2016166970.tif 000012
【図１０】
2016166970.tif 000013
【図１１】
2016166970.tif 000014
【図１２】
2016166970.tif 000015
【図１３】
2016166970.tif 000016
【図１４】
2016166970.tif 000017
【図１５】
2016166970.tif 000018
【図１６】
2016166970.tif 000019
【図１７】
2016166970.tif 000020
【図１８】
2016166970.tif 000021
【図１９】
2016166970.tif 000022
【図２０】
2016166970.tif 000023
【図２１】
2016166970.tif 000024
【図２２】
2016166970.tif 000025
【図２３】
2016166970.tif 000026
【図２４】
2016166970.tif 000027
【図２５】
2016166970.tif 000028